(57)【要約】【課題】短絡保護を実現する。【解決手段】媒体に印刷する印刷機構と、外部装置に接続可能な接続部と、接続部を介して外部装置を駆動する駆動回路と、外部装置へ電力を供給する状態と当該電力の供給を遮断する状態とを切り替えるスイッチング回路と、スイッチング回路と並列に配線されたサーミスターと、スイッチング回路へ電力を供給する状態と当該電力の供給を遮断する状態とを切り替えることが可能であり、サーミスターの両端に発生する所定電圧に基づきスイッチング回路への電力の供給を遮断する遮断回路と、を備え、遮断回路が動作していなくてスイッチング回路が遮断している状態で、駆動回路が外部装置を駆動していない時、外部装置の側に短絡状態が発生すると、サーミスターの両端に発生する所定電圧に基づき遮断回路が動作してスイッチング回路への電力の供給を遮断する、印刷装置。【選択図】図１
2020010502.tif 000002
【特許請求の範囲】
【請求項１】
媒体に印刷する印刷機構と、
外部装置に接続可能な接続部と、
前記接続部を介して前記外部装置を駆動する駆動回路と、
前記外部装置へ電力を供給する状態と前記電力の供給を遮断する状態とを切り替えるスイッチング回路と、
前記スイッチング回路と並列に配線されたサーミスターと、
前記スイッチング回路へ電力を供給する状態と前記電力の供給を遮断する状態とを切り替えることが可能であり、前記サーミスターの両端に発生する所定電圧に基づき前記スイッチング回路への前記電力の供給を遮断する遮断回路と、を備え、
前記遮断回路が動作していなくて前記スイッチング回路が遮断している状態で、前記駆動回路が前記外部装置を駆動していない時、前記外部装置の側に短絡状態が発生すると、前記サーミスターの両端に発生する前記所定電圧に基づき前記遮断回路が動作して前記スイッチング回路への前記電力の供給を遮断する、
印刷装置。
【請求項２】
前記遮断回路はトランジスターを含み、
前記所定電圧は前記トランジスターをオンする電圧を発生する電圧である、
請求項１に記載の印刷装置。
【請求項３】
前記サーミスターは、正特性を有する、
請求項１または請求項２に記載の印刷装置。
【請求項４】
前記遮断回路を介して、前記印刷機構に電力を供給する、
請求項１から請求項３のいずれか１項に記載の印刷装置。
【請求項５】
前記印刷機構は、レシートを印刷し、
前記外部装置は、ドロアーである、
請求項１から請求項４のいずれか１項に記載の印刷装置。
【請求項６】
外部負荷を駆動する駆動回路と、
前記外部負荷へ電力を供給する状態と前記電力の供給を遮断する状態とを切り替えるスイッチング回路と、
前記スイッチング回路と並列に配線されたサーミスターと、
前記スイッチング回路へ電力を供給する状態と前記電力の供給を遮断する状態とを切り替えることが可能であり、前記サーミスターの両端に発生する所定電圧に基づき前記スイッチング回路への前記電力の供給を遮断する遮断回路と、を備え、
前記遮断回路が動作していなくて前記スイッチング回路が遮断している状態で、前記駆動回路が前記外部負荷を駆動していない時、前記外部負荷の側に短絡状態が発生すると、前記サーミスターの両端に発生する前記所定電圧に基づき前記遮断回路が動作して前記スイッチング回路への前記電力の供給を遮断する、
印刷装置の電源回路。
【発明の詳細な説明】
【技術分野】
【０００１】
本発明は、印刷装置および印刷装置の電源回路に関する。
【背景技術】
【０００２】
印刷装置（プリンター）およびキャッシュドロアーを備えるＰＯＳ（Ｐｏｉｎｔ  Ｏｆ  Ｓａｌｅｓ）システムが知られている。
印刷装置の電源回路からキャッシュドロアーに電源を供給することがある。このような電源回路では、サーミスターが備えられる場合があった。
【０００３】
特許文献１に係る印刷装置（プリンター）の電源回路では、ＤＫ駆動回路（短絡検出回路）において、サーミスターが、当該電源回路の出力ラインと、負荷となるキャッシュドロアーのソレノイドコイルの一端に接続される接点とに接続されている。当該サーミスターは、温度の上昇とともに電気抵抗が増大する正特性を有している。そして、当該サーミスターに電流が流れると、当該サーミスターの抵抗により温度が上昇し、当該温度の上昇にともなって当該サーミスターの抵抗値が増大し、当該サーミスターに流れる電流を抑制する（特許文献１参照。）。
【０００４】
しかしながら、電流制限等に使用されるサーミスターの抵抗値は、一般的に、数オーム（Ω）である一方、キャッシュドロアーの抵抗値は、一般的に、数オームから数十オームであるため、キャッシュドロアーの抵抗値に対してサーミスターの抵抗値は無視できない大きさとなる。このため、キャッシュドロアーの駆動時においても、十分な電流を流すことができず、使用されるキャッシュドロアーによっては、ドロアートレイを開く駆動を行うことができない場合があった。
なお、キャッシュドロアーの内部回路は規格化されておらず、メーカーごとに異なり得る。このため、キャッシュドロアーの駆動ラインにサーミスターの抵抗成分があることは望まれない場合があった。
【０００５】
特許文献２に係る印刷装置（プリンター）の電源回路では、ＤＫ駆動回路において、特許文献１の場合と同様に、サーミスターが用いられている（特許文献２参照。）。
また、特許文献２に係る印刷装置の電源回路では、短絡検出回路において、当該電源回路から負荷となるキャッシュドロアーに流れる電流が当該ダイオードの順方向電流となっている（特許文献２参照。）。
【０００６】
しかしながら、ダイオードの特性上、順方向電圧を増加させるためには、ある程度の大電流を流す必要があり、大電流が流れてから保護回路が動作することになる。このため、被保護素子である電界効果トランジスター（ＦＥＴ：Ｆｉｅｌｄ  Ｅｆｆｅｃｔ  Ｔｒａｎｓｉｓｔｏｒ）として、ある程度の大電流に耐えられる素子が選定される必要があった。このような制約によって、部品選択の自由度が低くなり、回路設計の自由度が低くなる場合があった。また、部品の大型化によって、実装面積が増加する場合があった。
【先行技術文献】
【特許文献】
【０００７】
【特許文献１】特開２０１５−５０８６１号公報
【特許文献２】特開２０１５−１３６２３４号公報
【発明の概要】
【発明が解決しようとする課題】
【０００８】
上述のように、従来例に係る印刷装置の電源回路では、短絡検出用のサーミスターあるいはダイオードが、負荷と直列に接続されていた。
このため、従来例に係る印刷装置の電源回路では、負荷が正常に駆動されるときにおいても、当該負荷に直列に接続されたサーミスターあるいはダイオードに電流が流れることから、損失が発生して、印加電圧が低下し、当該負荷に十分な電圧が供給されない場合があった。また、電源回路のコストを抑えることが望まれていた。
【課題を解決するための手段】
【０００９】
上記課題を解決するために本発明の一態様は、媒体に印刷する印刷機構と、外部装置に接続可能な接続部と、前記接続部を介して前記外部装置を駆動する駆動回路と、前記外部装置へ電力を供給する状態と前記電力の供給を遮断する状態とを切り替えるスイッチング回路と、前記スイッチング回路と並列に配線されたサーミスターと、前記スイッチング回路へ電力を供給する状態と前記電力の供給を遮断する状態とを切り替えることが可能であり、前記サーミスターの両端に発生する所定電圧に基づき前記スイッチング回路への前記電力の供給を遮断する遮断回路と、を備え、前記遮断回路が動作していなくて前記スイッチング回路が遮断している状態で、前記駆動回路が前記外部装置を駆動していない時、前記外部装置の側に短絡状態が発生すると、前記サーミスターの両端に発生する前記所定電圧に基づき前記遮断回路が動作して前記スイッチング回路への前記電力の供給を遮断する、印刷装置である。
【００１０】
上記課題を解決するために本発明の一態様は、外部負荷を駆動する駆動回路と、前記外部負荷へ電力を供給する状態と前記電力の供給を遮断する状態とを切り替えるスイッチング回路と、前記スイッチング回路と並列に配線されたサーミスターと、前記スイッチング回路へ電力を供給する状態と前記電力の供給を遮断する状態とを切り替えることが可能であり、前記サーミスターの両端に発生する所定電圧に基づき前記スイッチング回路への前記電力の供給を遮断する遮断回路と、を備え、前記遮断回路が動作していなくて前記スイッチング回路が遮断している状態で、前記駆動回路が前記外部負荷を駆動していない時、前記外部負荷の側に短絡状態が発生すると、前記サーミスターの両端に発生する前記所定電圧に基づき前記遮断回路が動作して前記スイッチング回路への前記電力の供給を遮断する、印刷装置の電源回路である。
【図面の簡単な説明】
【００１１】
【図１】本発明の一実施形態に係るＰＯＳシステムの概略的な外観を示す斜視図である。
【図２】本発明の一実施形態に係る印刷装置およびキャッシュドロアーの概略的な構成を示す図である。
【図３】本発明の一実施形態に係る印刷装置とキャッシュドロアーとの接続部分における概略的な回路の構成を示す図である。
【図４】本発明の一実施形態に係るロック解除電流供給部の構成を示す図である。
【図５】本発明の一実施形態に係るサーミスターの特性の一例を示す図である。
【図６】本発明の一実施形態に係る印刷装置において行われる処理の手順の一例を示す図である。
【発明を実施するための形態】
【００１２】
本発明の実施形態について図面を参照して詳細に説明する。
【００１３】
［ＰＯＳシステム］
図１は、本発明の一実施形態に係るＰＯＳシステム１の概略的な外観を示す斜視図である。
ＰＯＳシステム１は、印刷装置１１と、端末装置１２と、表示装置１３と、キャッシュドロアー１４と、バーコードスキャナー１５と、接続ケーブル１６を備える。
【００１４】
図２は、本発明の一実施形態に係る印刷装置１１およびキャッシュドロアー１４の概略的な構成を示す図である。
ここで、図２には、印刷装置１１およびキャッシュドロアー１４とともに、外部電源３１と、ＡＣ（Ａｌｔｅｒｎａｔｉｎｇ  Ｃｕｒｒｅｎｔ）アダプター３２と、接続ケーブル１６を示してある。
印刷装置１１は、制御部１１１と、印刷部１１２と、ロック解除電流供給部１１３と、印刷装置側コネクター１１４を備える。
キャッシュドロアー１４は、ロック機構１３１と、ドロアートレイ１３２と、ドロアー側コネクター１３３を備える。ロック機構１３１は、ソレノイドコイル１５１を備える。
【００１５】
印刷装置１１は、ＡＣアダプター３２を介して外部電源３１から電力が入力される。印刷装置１１は、入力された電力を用いて動作を行う。
また、印刷装置１１は、接続ケーブル１６を介して、キャッシュドロアー１４と接続されている。印刷装置１１は、レシートの発行、キャッシュドロアー１４のドロアートレイ１３２の開閉およびロックなどの動作を制御する。
また、印刷装置１１は、端末装置１２と通信可能に接続されている。印刷装置１１は、端末装置１２から送信された各種の制御命令を受信し、受信された制御命令に基づいて各種の制御を行う。また、印刷装置１１は、制御結果を端末装置１２に対して送信する。
また、印刷装置１１は、バーコードスキャナー１５と通信可能に接続されている。印刷装置１１は、バーコードスキャナー１５から送信された商品名あるいは価格などの情報を受信し、受信された情報をレシートに反映させる。当該情報は、例えば、制御命令として通信される。
【００１６】
端末装置１２は、商品名あるいは価格などを入力するための入力キー、および、ＰＯＳシステム１の各種設定などを行うための操作キーなどを備える。
また、端末装置１２は、印刷装置１１と通信可能に接続されている。端末装置１２は、レシートの発行を指示する制御命令、キャッシュドロアー１４のドロアートレイ１３２の開閉を指示する制御命令などを印刷装置１１に対して送信する。また、端末装置１２は、印刷装置１１から送信された制御結果を受信する。
また、端末装置１２は、表示装置１３と通信可能に接続されている。端末装置１２は、表示対象の情報を表示装置１３に対して送信する。
【００１７】
表示装置１３は、情報を表示出力する画面を備える。
また、表示装置１３は、端末装置１２と通信可能に接続されている。表示装置１３は、端末装置１２から送信された表示対象の情報を受信し、受信された情報を画面に表示する。
また、表示装置１３は、他の情報を画面に表示してもよい。
【００１８】
キャッシュドロアー１４は、内部に現金などを収容することが可能なドロアートレイ１３２を開閉可能に収容する。
キャッシュドロアー１４は、接続ケーブル１６を介して、印刷装置１１と接続されている。
【００１９】
バーコードスキャナー１５は、例えば赤外光を照射してその反射光を検出することにより、商品に印刷されたバーコードを読み取る。
バーコードスキャナー１５は、印刷装置１１と通信可能に接続されている。バーコードスキャナー１５は、読み取られたバーコードの内容を表す情報を印刷装置１１に送信する。当該情報は、制御命令として通信される。
【００２０】
印刷装置１１の機能構成について説明する。
制御部１１１は、端末装置１２からの制御命令、あるいは、バーコードスキャナー１５からの制御命令に応じて、印刷装置１１の各部を制御する。
例えば、制御部１１１は、端末装置１２からキャッシュドロアー１４のドロアートレイ１３２を開閉する制御命令を受信したことに応じて、キャッシュドロアー１４を駆動する電流を供給する制御信号（図４の第１入力端子Ａ１のイネーブル信号ＥＮ）をロック解除電流供給部１１３に対して出力する。この後、制御部１１１は、駆動回路（図３の第１トランジスターＱ１）により、接続ケーブル１６を介して、制御命令で指定された期間の所定の駆動信号をキャッシュドロアー１４のロック機構１３１に対して出力する。
また、制御部１１１は、バーコードスキャナー１５から読み取られたバーコードの内容を表す情報を受信したことに応じて、受信された情報の一部または全部を含む表示対象の情報（印刷データ）を印刷部１１２に対して出力する。
【００２１】
印刷部１１２は、紙などの媒体に印刷する機構（説明の便宜上、印刷機構ともいう。）を備える。
印刷部１１２は、制御部１１１から出力された表示対象の情報を入力し、入力された情報を印刷用紙に印刷して、印刷された結果をレシートとして出力する。このように、印刷部１１２は、レシートを印刷する。
なお、媒体としては、例えば、印刷用紙以外の媒体が用いられてもよい。
【００２２】
ロック解除電流供給部１１３は、制御部１１１から出力されたキャッシュドロアー１４を駆動する電流を供給する制御命令を入力したことに応じて、接続ケーブル１６を介して、所定の駆動電流をキャッシュドロアー１４のロック機構１３１に対して送る。当該駆動電流は、ロック機構１３１のロック状態を解除する電流である。
【００２３】
印刷装置側コネクター１１４は、接続ケーブル１６の一端が接続されるコネクターである。
印刷装置側コネクター１１４は、モジュラージャックなどの任意のコネクターであってもよく、本実施形態では、接続ケーブル１６の一端と適合するコネクターである。
【００２４】
キャッシュドロアー１４の機能構成について説明する。
ロック機構１３１は、ソレノイドコイル１５１を備える。
ロック機構１３１は、印刷装置１１のロック解除電流供給部１１３から所定の駆動電流が供給され、かつ、印刷装置１１の制御部１１１から駆動回路により所定の駆動信号が入力された場合に、ソレノイドコイル１５１に電流を流して、ドロアートレイ１３２をロック状態から解除する機構を有する。
【００２５】
ここで、ドロアートレイ１３２のロック状態とは、ドロアートレイ１３２が閉じられたまま保持する状態を表す。また、ドロアートレイ１３２のロック状態を解除するとは、閉じられたドロアートレイ１３２を開くこと表す。
なお、本実施形態では、端末装置１２を操作するユーザー（人）は、端末装置１２を操作して所定の指示を入力することで、印刷装置１１により、ドロアートレイ１３２を開かせることが可能である。また、本実施形態では、ユーザーは、開かれたドロアートレイ１３２を手で押すことなどにより、ドロアートレイ１３２を閉じることが可能である。
【００２６】
ここで、ドロアートレイ１３２がロック状態となる機構およびロック状態が解除される機構としては、任意の構造の機構が用いられてもよい。
例えば、ロック機構１３１では、ソレノイドコイル１５１、係合部（図示せず）および被係合部（図示せず）などを備え、係合部と被係合部との係合が保持された状態がロック状態である。また、ロック状態において、ソレノイドコイル１５１に電流が流されることにより、係合部と被係合部との係合が解除されて、ドロアートレイ１３２が開かれる。また、開かれたドロアートレイ１３２が物理的に力により閉じられると、係合部と被係合部とが係合されて、ロック状態となる。
【００２７】
ドロアー側コネクター１３３は、接続ケーブル１６の他端が接続されるコネクターである。
ドロアー側コネクター１３３は、モジュラージャックなどの任意のコネクターであってもよく、本実施形態では、接続ケーブル１６の他端と適合するコネクターである。
【００２８】
図３は、本発明の一実施形態に係る印刷装置１１とキャッシュドロアー１４との接続部分における概略的な回路の構成を示す図である。
図３には、印刷装置１１とキャッシュドロアー１４が接続ケーブル１６を介して接続される部分について、概略的な回路の構成を示してある。
【００２９】
キャッシュドロアー１４における回路構成として、ソレノイドコイル１５１を示してある。
印刷装置１１における回路構成として、ロック解除電流供給部１１３と、トランジスター（説明の便宜上、第１トランジスターＱ１という。）を示してある。
ロック解除電流供給部１１３の出力端は、接続ケーブル１６を介して、ソレノイドコイル１５１の一端と接続されている。
第１トランジスターＱ１のコレクター端子は、接続ケーブル１６を介して、ソレノイドコイル１５１の他端と接続されている。
第１トランジスターＱ１のエミッター端子は、接地されている。
【００３０】
ロック解除電流供給部１１３には、制御部１１１から出力される所定の制御命令が入力される。これに応じて、ロック解除電流供給部１１３は、所定の駆動電流をソレノイドコイル１５１に供給する。
また、第１トランジスターＱ１のベース端子には、制御部１１１から出力される所定のコマンド信号が入力される。当該所定のコマンド信号は、例えば、１００ｍｓ程度の時間幅を有するパルス信号であるが、他の信号であってもよい。これに応じて、第１トランジスターＱ１のコレクター端子とエミッター端子とが導通し、ソレノイドコイル１５１に電流（所定の駆動電流）が流れる。
そして、ソレノイドコイル１５１に電流が流れると、ドロアートレイ１３２が開けられる。
一例として、ソレノイドコイル１５１の抵抗は２４Ω程度であり、ソレノイドコイル１５１に流される電流は１Ａ程度であるが、これらの値に限られない。
【００３１】
また、第１トランジスターＱ１は、例えば、印刷装置１１において、制御部１１１に備えられてもよく、あるいは、ロック解除電流供給部１１３に備えられてもよく、あるいは、他の部分（図示せず）に備えられてもよい。
また、他の例として、第１トランジスターＱ１は、接続ケーブル１６、あるいは、キャッシュドロアー１４に備えられてもよい。
なお、本実施形態では、第１トランジスターＱ１の側の回路として、説明を簡易化するために、第１トランジスターＱ１のみを示したが、これに限られず、他の様々な回路素子が用いられてもよい。
【００３２】
また、印刷装置１１の制御部１１１は、例えば、ドロアートレイ１３２を開かせるための所定の制御指令が端末装置１２から入力された場合に、当該制御指令によって指定された時間だけハイ（Ｈｉｇｈ）となるパルス信号を生成し、当該パルス信号を所定のコマンド信号として第１トランジスターＱ１のベース端子に出力することで、第１トランジスターＱ１をオンの状態にする。
第１トランジスターＱ１は、キャッシュドロアー１４のロック機構１３１を駆動する駆動回路として機能する。
端末装置１２は、例えば、ドロアートレイ１３２を開かせるための指示がユーザーによる操作に応じて受け付けられた場合に、ドロアートレイ１３２を開かせるための所定の制御指令（コマンド信号）を印刷装置１１の制御部１１１に出力する。
なお、ドロアートレイ１３２を開かせるための指示は、端末装置１２以外の装置で発生させられてもよい。端末装置１２以外の装置としては、例えば、印刷装置１１、あるいは、表示装置１３などがある。
【００３３】
［ロック解除電流供給部］
図４は、本発明の一実施形態に係るロック解除電流供給部１１３の構成を示す図である。
ロック解除電流供給部１１３は、電源部３１１と、複数のトランジスター（説明の便宜上、第２トランジスターＱ２〜第１２トランジスターＱ１２という。）と、１個のサーミスター（説明の便宜上、第１サーミスターＦ１という。）と、複数の抵抗（説明の便宜上、第１抵抗Ｒ１〜第１４抵抗Ｒ１４という。）と、１個のコンデンサー（説明の便宜上、第１コンデンサーＣ１という。）と、１個のスイッチ（説明の便宜上、第１スイッチＳＷ１という。）と、１個の入力端子（説明の便宜上、第１入力端子Ａ１という。）を備える。
ここで、第８トランジスターＱ８および第９トランジスターＱ９を用いて、ラッチ回路（説明の便宜上、第１ラッチ回路Ｂ１という。）が構成されている。
また、本実施形態では、キャッシュドロアー１４が負荷に相当する。
【００３４】
本実施形態では、第２トランジスターＱ２、第３トランジスターＱ３、第６トランジスターＱ６は、それぞれ、電界効果トランジスター（ＦＥＴ）である。
【００３５】
電源部３１１は、所定の電圧（本実施形態では、＋２４Ｖ＿ＩＮ）を出力端子から出力する。当該電圧は、例えば、＋２４Ｖであるが、当該電圧の値は他の値であってもよい。
電源部３１１は、例えば、ＡＣ（Ａｌｔｅｒｎａｔｉｎｇ  Ｃｕｒｒｅｎｔ）／ＤＣ（Ｄｉｒｅｃｔ  Ｃｕｒｒｅｎｔ）コンバーター（図示せず）を有しており、商用電源などから交流電流を入力して、入力された交流電流をＡＣ／ＤＣコンバーターにより直流電流に変換し、当該直流電流を出力端子から出力する。
【００３６】
図５は、本発明の一実施形態に係る第１サーミスターＦ１の特性１０１１の一例を示す図である。
図５に示されるグラフにおいて、横軸は第１サーミスターＦ１を流れる電流を表しており、縦軸は第１サーミスターＦ１の抵抗値を表している。そして、第１サーミスターＦ１の特性１０１１の一例を示してある。
本実施形態では、第１サーミスターＦ１の特性１０１１は正特性であり、すなわち、第１サーミスターＦ１を流れる電流が大きくなるほど、第１サーミスターＦ１の抵抗値が大きくなる。
なお、第１サーミスターＦ１に関して、電流と抵抗値との関係と、温度と抵抗値との関係は、同様である。このため、図５に示される横軸が電流の代わりに第１サーミスターＦ１の温度を表すと捉えても、特性１０１１の傾向は同様である。
【００３７】
＜ロック解除電流供給部の回路構成＞
ロック解除電流供給部１１３における回路素子の接続関係について説明する。
電源部３１１の出力端子と、第２トランジスターＱ２のソース端子とが接続されている。
第２トランジスターＱ２のドレイン端子と、第３トランジスターＱ３のソース端子とが接続されている。
第３トランジスターＱ３のドレイン端子と、キャッシュドロアー１４とが接続されている。
第１サーミスターＦ１が、第３トランジスターＱ３と並列に配線されるように接続されている。具体的には、第１サーミスターＦ１の一端が第３トランジスターＱ３のソース端子と接続されており、第１サーミスターＦ１の他端が第３トランジスターＱ３のドレイン端子と接続されている。
【００３８】
第４トランジスターＱ４のベース端子は、第１入力端子Ａ１と接続されている。
第３トランジスターＱ３のソース端子と第４トランジスターＱ４のコレクター端子との間に、第１抵抗Ｒ１と第２抵抗Ｒ２が直列に接続されている。具体的には、第１抵抗Ｒ１の一端と第３トランジスターＱ３のソース端子とが接続されており、第１抵抗Ｒ１の他端と第２抵抗Ｒ２の一端とが接続されており、第２抵抗Ｒ２の他端と第４トランジスターＱ４のコレクター端子とが接続されている。
第４トランジスターＱ４のエミッター端子は、接地されている。
第１抵抗Ｒ１と第２抵抗Ｒ２との接続点と、第３トランジスターＱ３のゲート端子とが、接続されている。
【００３９】
第５トランジスターＱ５のエミッター端子と第３トランジスターＱ３のソース端子とが接続されている。
第５トランジスターＱ５のエミッター端子と第５トランジスターＱ５のベース端子との間に、第３抵抗Ｒ３が接続されている。
第３トランジスターＱ３のドレイン端子と第５トランジスターＱ５のベース端子との間に、第４抵抗Ｒ４が接続されている。
第５トランジスターＱ５のコレクター端子に、第５抵抗Ｒ５と第６抵抗Ｒ６が直列に接続されている。具体的には、第５トランジスターＱ５のコレクター端子と第５抵抗Ｒ５の一端とが接続されており、第５抵抗Ｒ５の他端と第６抵抗Ｒ６の一端とが接続されている。
第６抵抗Ｒ６の他端は、接地されている。
【００４０】
第６トランジスターＱ６のゲート端子と、第５抵抗Ｒ５と第６抵抗Ｒ６との接続点とが、接続されている。
第６トランジスターＱ６のソース端子は、第６抵抗Ｒ６の他端と接続されており、接地されている。
第６トランジスターＱ６のドレイン端子と、第７トランジスターＱ７のベース端子とが、接続されている。
【００４１】
第７トランジスターＱ７のエミッター端子は、所定の電圧源と接続されている。当該電圧源は、例えば、＋３．３Ｖの電圧を供給するが、当該電圧の値は他の値であってもよい。
第７トランジスターＱ７のコレクター端子に、第７抵抗Ｒ７と第８抵抗Ｒ８が直列に接続されている。具体的には、第７トランジスターＱ７のコレクター端子と第７抵抗Ｒ７の一端とが接続されており、第７抵抗Ｒ７の他端と第８抵抗Ｒ８の一端とが接続されている。
第８抵抗Ｒ８の他端は、接地されている。
【００４２】
第８トランジスターＱ８のコレクター端子と、第９トランジスターＱ９のベース端子と、第７抵抗Ｒ７と第８抵抗Ｒ８との接続点とが、接続されている。
第８トランジスターＱ８のベース端子と第９トランジスターＱ９のコレクター端子とが接続されている。
第２トランジスターＱ２のソース端子と第９トランジスターＱ９のコレクター端子との間に、第９抵抗Ｒ９と第１０抵抗Ｒ１０と第１１抵抗Ｒ１１が直列に接続されている。具体的には、第９抵抗Ｒ９の一端と第２トランジスターＱ２のソース端子とが接続されており、第９抵抗Ｒ９の他端と第１０抵抗Ｒ１０の一端とが接続されており、第１０抵抗Ｒ１０の他端と第１１抵抗Ｒ１１の一端とが接続されており、第１１抵抗Ｒ１１の他端と第９トランジスターＱ９のコレクター端子とが接続されている。
【００４３】
第８トランジスターＱ８のエミッター端子と、第１０抵抗Ｒ１０と第１１抵抗Ｒ１１との接続点とが、接続されている。
第９トランジスターＱ９のエミッター端子と第１０トランジスターＱ１０のコレクター端子とが接続されている。
第１０トランジスターＱ１０のエミッター端子は、第８抵抗Ｒ８の他端と接続されており、接地されている。
【００４４】
第１スイッチＳＷ１は、３個の端子を有している。具体的には、第１スイッチＳＷ１は、接地された端子と、第１２抵抗Ｒ１２を介して所定の電圧源と接続された端子と、出力端子を有している。当該電圧源は、例えば、電源部３１１から供給される＋２４Ｖの電圧を供給するが、当該電圧の値は他の値であってもよい。
第１スイッチＳＷ１では、出力端子が接地された状態であるオフの状態と、出力端子に電圧源からの電源が供給される状態であるオンの状態とが切り替えられることが可能である。
【００４５】
第１スイッチＳＷ１の出力端子と、第１０トランジスターＱ１０のベース端子と、第１１トランジスターＱ１１のベース端子とが、接続されている。
第１１トランジスターＱ１１のエミッター端子は、接地されている。
第２トランジスターＱ２のソース端子と第１１トランジスターＱ１１のコレクター端子との間に、第１３抵抗Ｒ１３と第１４抵抗Ｒ１４が直列に接続されている。具体的には、第２トランジスターＱ２のソース端子と第１３抵抗Ｒ１３の一端とが接続されており、第１３抵抗Ｒ１３の他端と第１４抵抗Ｒ１４の一端とが接続されており、第１４抵抗Ｒ１４の他端と第１１トランジスターＱ１１のコレクター端子とが接続されている。
【００４６】
第１２トランジスターＱ１２のベース端子と、第９抵抗Ｒ９と第１０抵抗Ｒ１０との接続点とが、接続されている。
第１２トランジスターＱ１２のコレクター端子と、第１３抵抗Ｒ１３と第１４抵抗Ｒ１４との接続点とが、接続されている。
第１２トランジスターＱ１２のエミッター端子と、第２トランジスターＱ２のソース端子とが接続されている。
【００４７】
第２トランジスターＱ２のソース端子と、第１３抵抗Ｒ１３と第１４抵抗Ｒ１４との接続点との間に、第１コンデンサーＣ１が接続されている。
第１３抵抗Ｒ１３と第１４抵抗Ｒ１４との接続点は、第２トランジスターＱ２のゲート端子と接続されている。
【００４８】
＜ロック解除電流供給部において行われる動作＞
ロック解除電流供給部１１３において行われる動作の例を説明する。
電源部３１１は、第２トランジスターＱ２のソース端子に、所定の電圧を印加する。ここでは、電源部３１１による電圧の印加が継続するとして説明する。
なお、電源部３１１による電圧の印加が停止したときには、ロック解除電流供給部１１３は、動作しない。
【００４９】
第１スイッチＳＷ１には、電源部３１１からの電圧（本実施形態では、＋２４Ｖ＿ＩＮ）が供給される。
第１スイッチＳＷ１は、オフの状態と、オンの状態とで、切り替えられる。第１スイッチＳＷ１の切り替えは、例えば、ユーザーにより手動で行われてもよく、あるいは、印刷装置１１または端末装置１２などにより自動的に行われてもよい。
【００５０】
第１スイッチＳＷ１がオフ状態である場合、第１１トランジスターＱ１１のベース端子が第１スイッチＳＷ１を介して接地される。このため、第１１トランジスターＱ１１のコレクター端子とエミッター端子の間に電流が流れず、第２トランジスターＱ２がオフの状態となる。この場合、電源部３１１からの電圧は、キャッシュドロアー１４に印加されない。
【００５１】
第１スイッチＳＷ１がオフ状態からオン状態に切り替えられた場合、第１１トランジスターＱ１１のベース端子に第１スイッチＳＷ１を介して所定の電圧が印加される。これにより、第１１トランジスターＱ１１のコレクター端子とエミッター端子の間が導通し、第２トランジスターＱ２のゲート端子に必要な大きさの電圧が印加されて、第２トランジスターＱ２がオンの状態となる。この場合、第２トランジスターＱ２のソース端子とドレイン端子との間が導通し、電源部３１１からの電圧（本実施形態では、＋２４Ｖ＿Ｍａｉｎ）がキャッシュドロアー１４および印刷部１１２の印刷機構などに印加される。
なお、第２トランジスターＱ２の出力端における電圧は、例えば、キャッシュドロアー１４の第１トランジスターＱ１に供給されてもよく、また、任意のロジック系などに供給されてもよい。
【００５２】
ここで、第２トランジスターＱ２がオン状態であるとき、電源部３１１からの電圧がキャッシュドロアー１４に印加される経路が２通りある。すなわち、第１サーミスターＦ１を介して電源部３１１からの電圧がキャッシュドロアー１４に印加される経路と、第３トランジスターＱ３を介して電源部３１１からの電圧がキャッシュドロアー１４に印加される経路がある。
第３トランジスターＱ３は、キャッシュドロアー１４へ電力を供給する状態と、当該電力の供給を遮断する状態とを切り替えるスイッチング回路として機能する。
【００５３】
第１入力端子Ａ１には、所定のイネーブル信号が印加される。当該イネーブル信号は、電圧がハイ（Ｈｉｇｈ）である信号が出力される状態（ハイの状態）と、電圧がロウ（Ｌｏｗ）である信号が出力される状態（ロウの状態）を有する。
当該イネーブル信号は、例えば、印刷装置１１の制御部１１１による制御によって、ハイの状態とロウの状態とが切り替えられる。
【００５４】
本実施形態では、説明の便宜上、第１入力端子Ａ１に印加されるイネーブル信号がロウの状態であるときの状態を、定常状態と呼んで説明する。
また、本実施形態では、説明の便宜上、第１入力端子Ａ１に印加されるイネーブル信号がハイの状態であるときの状態を、ドロアー駆動状態と呼んで説明する。
【００５５】
すなわち、定常状態であるときには、第１トランジスターＱ１のベース端子に印加される電圧が小さく、第４トランジスターＱ４のコレクター端子とエミッター端子との間が導通しない。このため、第３トランジスターＱ３のゲート端子に印加される電圧が小さく、第３トランジスターＱ３のソース端子とドレイン端子との間が導通しない。この場合、第３トランジスターＱ３はオフの状態であり、第１サーミスターＦ１を介して電源部３１１からの電圧がキャッシュドロアー１４に印加される。
【００５６】
一方、ドロアー駆動状態であるときには、第１トランジスターＱ１のベース端子に必要な大きさの電圧が印加されて、第４トランジスターＱ４のコレクター端子とエミッター端子との間が導通する。これにより、第３トランジスターＱ３のゲート端子に必要な大きさの電圧が印加されて、第３トランジスターＱ３のソース端子とドレイン端子との間が導通する。この場合、第３トランジスターＱ３はオンの状態であり、第３トランジスターＱ３を介して電源部３１１からの電圧がキャッシュドロアー１４に印加される。
【００５７】
本実施形態では、定常状態において、制御部１１１によりイネーブル信号がロウの状態からハイの状態へ切り替えられると、第３トランジスターＱ３がオフの状態からオンの状態へ切り替えられ、ドロアー駆動状態となる。
ドロアー駆動状態では、電源部３１１からの電圧は第３トランジスターＱ３を通過し、第１サーミスターＦ１にはほぼ印加されず、第１サーミスターＦ１にかかる電圧がほぼゼロ（０）になる。
そして、ドロアー駆動状態において、図３に示される第１トランジスターＱ１が一時的にオンの状態に切り替えられることで、第３トランジスターＱ３を経由する経路を介して、ソレノイドコイル１５１に電流を流し、これにより、キャッシュドロアー１４のドロアートレイ１３２を駆動させて開かせる。
その後、制御部１１１によりイネーブル信号がハイの状態からロウの状態へ切り替えられると、第３トランジスターＱ３がオンの状態からオフの状態へ切り替えられ、定常状態となる。
なお、本実施形態では、このようにイネーブル信号が用いられることで、例えば、第３トランジスターＱ３の過渡状態を回避することが可能である。
【００５８】
定常状態における短絡保護について説明する。
定常状態において、第３トランジスターＱ３のドレイン端子の側に接続される負荷において短絡が発生した場合、第１サーミスターＦ１を経由して大電流が流れることになる。
この場合、第１サーミスターＦ１において電圧降下する量が増大し、第３抵抗Ｒ３において電圧降下する量が増大していく。すると、第５トランジスターＱ５のベース端子とエミッター端子との間にかかる電圧が増大していき、当該電圧が所定の電圧（閾値）に達すると、第５トランジスターＱ５がオフの状態からオンの状態に切り替えられる。これにより、第２トランジスターＱ２がオン状態からオフ状態へ切り替えられることで、電源部３１１からの電圧が第１サーミスターＦ１に供給されなくなり、第１サーミスターＦ１を経由して負荷に流れる電流が停止させられる。これによって、短絡保護が実現される。
【００５９】
ここで、短絡保護動作について詳しく説明する。
第５トランジスターＱ５がオフの状態からオンの状態に切り替えられると、第６トランジスターＱ６がオフの状態からオンの状態に切り替えられる。すると、第７トランジスターＱ７がオフの状態からオンの状態に切り替えられる。すると、第１ラッチ回路Ｂ１を構成する第８トランジスターＱ８および第９トランジスターＱ９がオフの状態からオンの状態に切り替えられ、つまり、第１ラッチ回路Ｂ１がオフの状態からオンの状態に切り替えられる。すると、第１０トランジスターＱ１０のコレクター端子とエミッター端子との間に電流が流れ、第１２トランジスターＱ１２がオフの状態からオンの状態に切り替えられる。すると、第１２トランジスターＱ１２のコレクター端子とエミッター端子間の電位差が小さくなることにより、第２トランジスターＱ２のゲート端子とソース端子間の電位差が小さくなって、第２トランジスターＱ２がオンの状態からオフの状態に切り替えられる。
これにより、第２トランジスターＱ２のソース端子とドレイン端子との間が導通しなくなり、電源部３１１からの電圧が第２トランジスターＱ２を通過しなくなる。
【００６０】
なお、本実施形態では、定常状態において、負荷において短絡が発生していないときには、第５トランジスターＱ５〜第９トランジスターＱ９および第１２トランジスターＱ１２はオフの状態である。
また、このとき、第１０トランジスターＱ１０はオンの状態であるが、第１０トランジスターＱ１０のコレクター端子とエミッター端子との間には電流は流れていない。
【００６１】
また、本実施形態では、負荷において短絡が発生していないときには、第５トランジスターＱ５のベース端子とエミッター端子との間にかかる電圧が所定の電圧（閾値）未満となるように、第３抵抗Ｒ３の抵抗値および第４抵抗Ｒ４の抵抗値が設定されている。つまり、本実施形態では、第３抵抗Ｒ３の抵抗値および第４抵抗Ｒ４の抵抗値が調整されることで、短絡保護動作が開始される電流の閾値を調整することが可能である。
【００６２】
ここで、本実施形態では、第５トランジスターＱ５〜第１０トランジスターＱ１０、第１２トランジスターＱ１２、第２トランジスターＱ２を含む回路により、スイッチング回路である第３トランジスターＱ３へ電力を供給する状態と当該電力の供給を遮断する状態とを切り替えることが可能であり、第１サーミスターＦ１の両端に発生する所定電圧に基づき第３トランジスターＱ３への電力の供給を遮断する遮断回路の機能が構成されている。
そして、当該遮断回路が動作していなくて第３トランジスターＱ３が遮断している状態で、第１トランジスターＱ１がキャッシュドロアー１４を駆動していない時、キャッシュドロアー１４の側に短絡状態が発生すると、第１サーミスターＦ１の両端に発生する所定電圧に基づき当該遮断回路が動作して第３トランジスターＱ３への電力の供給を遮断する。
【００６３】
具体的には、第１サーミスターＦ１の両端に所定電圧が発生すると、第５トランジスターＱ５のベース端子とエミッター端子との間に所定の電圧またはそれを超える電圧が発生する。当該所定の電圧は、例えば第５トランジスターＱ５のようなＰＮＰトランジスターの場合、オンとなる０．６Ｖ程度であるが、他の回路素子を採用する場合、特性に応じてオンとなる他の電圧値であってもよい。
すると、第５トランジスターＱ５〜第９トランジスターＱ９、第１２トランジスターＱ１２がオンの状態に切り替えられ、第２トランジスターＱ２がオフの状態に切り替えられる。
【００６４】
［印刷装置において行われる処理の手順］
印刷装置１１において行われる処理の手順の例を説明する。
図６は、本発明の一実施形態に係る印刷装置１１において行われる処理の手順の一例を示す図である。
図６の例では、定常状態からドロアー駆動状態に切り替えてドロアートレイ１３２を開かせる制御について説明する。
【００６５】
（ステップＳ１）
印刷装置１１において、ユーザーにより端末装置１２が操作されることなどにより、第１スイッチＳＷ１がオフの状態からオンの状態に切り替えられる。これにより、ロック解除電流供給部１１３が定常状態となる。そして、ステップＳ２の処理へ移行する。
【００６６】
（ステップＳ２）
印刷装置１１において、ユーザーにより端末装置１２が操作されることなどに応じて、制御部１１１は、第１入力端子Ａ１に入力されるイネーブル信号をロウの状態からハイの状態に切り替える。これにより、ロック解除電流供給部１１３がドロアー駆動状態となる。そして、ステップＳ３の処理へ移行する。
【００６７】
（ステップＳ３）
印刷装置１１において、制御部１１１は、ドロアー駆動状態において、キャッシュドロアー１４のソレノイドコイル１５１に電流を流すための所定のコマンド信号を第１トランジスターＱ１のベース端子に出力する。これにより、キャッシュドロアー１４のソレノイドコイル１５１に電流が流れ、ドロアートレイ１３２が駆動されて開かれる。
【００６８】
［実施形態のまとめ］
以上のように、本実施形態に係るＰＯＳシステム１の印刷装置１１におけるロック解除電流供給部１１３では、負荷を駆動する駆動回路である第３トランジスターＱ３と並列に、第１サーミスターＦ１が搭載されている。
また、本実施形態に係るロック解除電流供給部１１３では、駆動回路がオフの状態であるときに負荷側に短絡などの異常が発生した場合には、第１サーミスターＦ１を経由して短絡電流が流れ、第１サーミスターＦ１の抵抗値が上昇することで、負荷側への電流を制限するとともに、所定電圧が発生して保護回路を動作させ、負荷側への電力供給を遮断する。一方、正常時には、電流が第１サーミスターＦ１を経由せず、オン抵抗が低い駆動回路のみから負荷に電流が流れるようにする。
【００６９】
本実施形態に係るロック解除電流供給部１１３では、キャッシュドロアー１４の駆動ラインの抵抗成分が低い短絡検出回路を実現することができる。すなわち、本実施形態に係るロック解除電流供給部１１３では、イネーブル信号により第３トランジスターＱ３をオンにした状態でキャッシュドロアー１４を駆動するため、キャッシュドロアー１４の駆動ラインの抵抗成分が非常に小さくなる。一例として、第３トランジスターＱ３のオン抵抗は、数十ｍΩ程度である。
したがって、本実施形態に係るロック解除電流供給部１１３では、例えば、低い抵抗値を有するキャッシュドロアー１４を選択することが可能であり、様々な幅広いドロアーを選択することが可能となる。
【００７０】
また、本実施形態に係るロック解除電流供給部１１３では、大電流が流れない短絡検出回路を実現することができる。すなわち、本実施形態に係るロック解除電流供給部１１３では、定常状態において、イネーブル信号により第３トランジスターＱ３をオフにした状態であるときに、短絡時の電流は第１サーミスターＦ１を経由する。そして、短絡保護回路が動作するための閾値は、第１サーミスターＦ１の抵抗値、第３抵抗Ｒ３の抵抗値と第４抵抗Ｒ４の抵抗値との比で決まるため、例えば、第１サーミスターＦ１の抵抗値を大きくして短絡時の電流を小さくすることができる。
したがって、本実施形態に係るロック解除電流供給部１１３では、被保護素子の電界効果トランジスター（ＦＥＴ）として、例えば、従来よりも定格が小さい素子を選択することができ、これにより、各種の部品の選択の幅を広げることができ、キャッシュドロアー１４の側の装置の選択の幅を広げることができ、回路設計の自由度を向上させることができ、実装面積の縮小などを実現することが可能となる。
【００７１】
本実施形態に係るロック解除電流供給部１１３では、定常状態において、正常時にはキャッシュドロアー１４に所定の電圧を印加することができ、また、短絡時には第１サーミスターＦ１により短絡の異常を検出して保護することができる。
このような短絡保護回路は、例えば、印刷装置１１に接続された接続ケーブル１６のキャッシュドロアー１４の側にキャッシュドロアー１４以外の装置が接続される場合、あるいは、接続ケーブル１６の代わりに他の規格のケーブルが印刷装置１１に接続される場合、あるいは、接続ケーブル１６などに異物が混入した場合などに、有用である。
【００７２】
本実施形態に係る印刷装置１１では、第３トランジスターＱ３を介してキャッシュドロアー１４に電源を供給する系（説明の便宜上、電源系という。）と、第１トランジスターＱ１を介してキャッシュドロアー１４に制御信号を与える系（説明の便宜上、制御系という。）とが、別々に設けられている。
例えば、第３トランジスターＱ３の過渡状態で第３トランジスターＱ３に制御信号が流されると壊れる可能性があるが、本実施形態では、第３トランジスターＱ３を有する電源系と、第１トランジスターＱ１を有する制御系とが別々に設けられており、このような問題を解消することができる。
【００７３】
本実施形態に係る印刷装置１１では、例えば、第１サーミスターＦ１として、正特性を有するサーミスターが用いられることが好ましい。
また、本実施形態に係る印刷装置１１では、好ましい例として、キャッシュドロアー１４などのドロアーを外部装置として、レシートを印刷するＰＯＳシステム１などに適用される。
【００７４】
ここで、本実施形態では、ロック解除電流供給部１１３において、第５トランジスターＱ５と第１ラッチ回路Ｂ１との間に、第６トランジスターＱ６および第７トランジスターＱ７などが備えられる構成を示したが、他の例として、第５トランジスターＱ５と第１ラッチ回路Ｂ１との間に、１個以上の抵抗が備えられる構成が用いられてもよい。
また、本実施形態では、ロック解除電流供給部１１３において、第５トランジスターＱ５と第１ラッチ回路Ｂ１との間で、＋３．３Ｖの電圧が使用されており、これにより、例えば、ロック解除電流供給部１１３を備える印刷装置１１の電源がオフからオンに切り替えられたときから＋３．３Ｖの電圧が立ち上がるまでは、短絡保護の動作にマスクがかかり、つまり、短絡保護の動作が行われない。
また、本実施形態では、ロック解除電流供給部１１３において、第１ラッチ回路Ｂ１がディスクリート半導体を用いて構成されているが、他の例として、第１ラッチ回路Ｂ１がＩＣ（Ｉｎｔｅｇｒａｔｅｄ  Ｃｉｒｃｕｉｔ）などを用いて構成されてもよい。
【００７５】
＜変形例＞
本実施形態に係るロック解除電流供給部１１３では、第３トランジスターＱ３と第１サーミスターＦ１とが並列に備えられる構成を有するが、変形例として、第１サーミスターＦ１の代わりに抵抗が用いられて、第３トランジスターＱ３と当該抵抗とが並列に備えられる構成が用いられてもよい。
これらの構成を比較すると、例えば、一般にサーミスターは低抵抗で大電流に耐えられるため、その点で、第１サーミスターＦ１が用いられる構成の方が有効であり、一方、抵抗が用いられる場合には電力定格が大きい抵抗を選定する必要がある。
【００７６】
＜構成例＞
一構成例として、印刷装置（本実施形態では、印刷装置１１）において、媒体に印刷する印刷機構（本実施形態では、印刷部１１２の印刷機構）と、外部装置（本実施形態では、キャッシュドロアー１４）に接続可能な接続部（本実施形態では、接続ケーブル１６が接続されるモジュラージャックなどのコネクター）と、接続部を介して外部装置を駆動する駆動回路（本実施形態では、第１トランジスターＱ１）と、外部装置へ電力（本実施形態では、＋２４Ｖ＿ＤＫの電力）を供給する状態と当該電力の供給を遮断する状態とを切り替えるスイッチング回路（本実施形態では、第３トランジスターＱ３）と、スイッチング回路と並列に配線されたサーミスター（本実施形態では、第１サーミスターＦ１）と、スイッチング回路へ電力（本実施形態では、＋２４Ｖ＿Ｍａｉｎの電力）を供給する状態と当該電力の供給を遮断する状態とを切り替えることが可能であり、サーミスターの両端に発生する所定電圧に基づきスイッチング回路への電力の供給を遮断する遮断回路（本実施形態では、第５トランジスターＱ５〜第１０トランジスターＱ１０、第１２トランジスターＱ１２、第２トランジスターＱ２を含む回路）と、を備える。なお、当該遮断回路としては、例えば、第２トランジスターＱ２であると捉えられてもよい。
そして、印刷装置では、遮断回路が動作していなくてスイッチング回路が遮断している状態で、駆動回路が外部装置を駆動していない時、外部装置の側に短絡状態が発生すると、サーミスターの両端に発生する所定電圧に基づき遮断回路が動作してスイッチング回路への電力の供給を遮断する。
【００７７】
一構成例として、印刷装置において、遮断回路はトランジスター（本実施形態では、第５トランジスターＱ５）を含み、所定電圧は当該トランジスターをオンする電圧を発生する電圧である。
一構成例として、印刷装置において、サーミスターは、正特性を有する。
一構成例として、印刷装置において、遮断回路（本実施形態では、遮断回路の一部である第２トランジスターＱ２）を介して、印刷機構に電力（本実施形態では、＋２４Ｖ＿Ｍａｉｎの電力）を供給する。
一構成例として、印刷装置において、印刷機構は、レシートを印刷し、外部装置は、ドロアー（本実施形態では、キャッシュドロアー１４）である。
【００７８】
一構成例として、印刷装置の電源回路（本実施形態では、図３および図４に示される印刷装置１１の電源回路）において、外部負荷（外部装置の負荷）を駆動する駆動回路と、外部負荷へ電力を供給する状態と当該電力の供給を遮断する状態とを切り替えるスイッチング回路と、スイッチング回路と並列に配線されたサーミスターと、スイッチング回路へ電力を供給する状態と当該電力の供給を遮断する状態とを切り替えることが可能であり、サーミスターの両端に発生する所定電圧に基づきスイッチング回路への電力の供給を遮断する遮断回路と、を備える。
そして、印刷装置の電源回路では、遮断回路が動作していなくてスイッチング回路が遮断している状態で、駆動回路が外部負荷を駆動していない時、外部負荷の側に短絡状態が発生すると、サーミスターの両端に発生する所定電圧に基づき遮断回路が動作してスイッチング回路への電力の供給を遮断する。
【００７９】
なお、以上に説明した装置（例えば、印刷装置１１、端末装置１２、表示装置１３など）における任意の構成部の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｃ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーやクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
【００８０】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【００８１】
以上、この発明の実施形態について図面を参照して詳述してきたが、具体的な構成はこの実施形態に限られるものではなく、この発明の要旨を逸脱しない範囲の設計等も含まれる。
【符号の説明】
【００８２】
１…ＰＯＳシステム、１１…印刷装置、１２…端末装置、１３…表示装置、１４…キャッシュドロアー、１５…バーコードスキャナー、１６…接続ケーブル、３１…外部電源、３２…ＡＣアダプター、１１１…制御部、１１２…印刷部、１１３…ロック解除電流供給部、１１４…印刷装置側コネクター、１３１…ロック機構、１３２…ドロアートレイ、１３３…ドロアー側コネクター、１５１…ソレノイドコイル、３１１…電源部、１０１１…特性、Ａ１…第１入力端子、Ｂ１…第１ラッチ回路、Ｃ１…第１コンデンサー、Ｆ１…第１サーミスター、Ｑ１…第１トランジスター、Ｑ２…第２トランジスター、Ｑ３…第３トランジスター、Ｑ４…第４トランジスター、Ｑ５…第５トランジスター、Ｑ６…第６トランジスター、Ｑ７…第７トランジスター、Ｑ８…第８トランジスター、Ｑ９…第９トランジスター、Ｑ１０…第１０トランジスター、Ｑ１１…第１１トランジスター、Ｑ１２…第１２トランジスター、Ｒ１…第１抵抗、Ｒ２…第２抵抗、Ｒ３…第３抵抗、Ｒ４…第４抵抗、Ｒ５…第５抵抗、Ｒ６…第６抵抗、Ｒ７…第７抵抗、Ｒ８…第８抵抗、Ｒ９…第９抵抗、Ｒ１０…第１０抵抗、Ｒ１１…第１１抵抗、Ｒ１２…第１２抵抗、Ｒ１３…第１３抵抗、Ｒ１４…第１４抵抗、ＳＷ１…第１スイッチ
【図１】
2020010502.tif 000003
【図２】
2020010502.tif 000004
【図３】
2020010502.tif 000005
【図４】
2020010502.tif 000006
【図５】
2020010502.tif 000007
【図６】
2020010502.tif 000008